(57)【要約】【課題】  不正なボタン押下操作が簡便に防止できる防犯サムターン及びそれに用いる保護キャップを得、ボタン押下式防犯サムターンにおけるさらなる防犯性の向上を図る。【解決手段】  扁平な摘み１５の表裏に押下自在なボタン１７，１９が突設され、一対のボタン１７，１９が同時に押下されて摘み１５の回動規制が解除される防犯サムターン１００であって、摘み１５を覆って外嵌される保護キャップ１３を着脱自在に設け、この保護キャップ１３の摘み収容部４５に、突出状態のボタン１７に遊嵌する凹部４７，４９を形成した。【選択図】        図１
2006125093.tif 000002
【特許請求の範囲】
【請求項１】
摘みの一部に押下自在なボタンが突設され該ボタンが押下されて前記摘みの回動規制が解除される防犯サムターンであって、
前記摘みを覆って外嵌される保護キャップが着脱自在に設けられ、
該保護キャップの摘み収容部には突出状態の前記ボタンに遊嵌する凹部が形成されたことを特徴とする防犯サムターン。
【請求項２】
扁平な摘みの表裏に押下自在なボタンが突設され該一対のボタンが同時に押下されて前記摘みの回動規制が解除される防犯サムターンであって、
前記摘みを覆って外嵌される保護キャップが着脱自在に設けられ、
該保護キャップの摘み収容部には突出状態の前記ボタンに遊嵌する凹部が形成されたことを特徴とする防犯サムターン。
【請求項３】
前記ボタンに前記凹部が係合して前記保護キャップの脱落が規制されることを特徴とする請求項１又は２記載の防犯サムターン。
【請求項４】
摘みの一部に押下自在に突設されたボタンが押下されて前記摘みの回動規制が解除される防犯サムターンに対して前記摘みに着脱自在に外嵌される保護キャップであって、
前記摘みの収容される摘み収容部に、突出状態の前記ボタンに遊嵌する凹部が形成されたことを特徴とする保護キャップ。
【請求項５】
扁平な摘みの表裏に押下自在に突設された一対のボタンが同時に押下されて前記摘みの回動規制が解除される防犯サムターンに対して前記摘みに着脱自在に外嵌される保護キャップであって、
前記摘みの収容される摘み収容部に、突出状態の前記ボタンに遊嵌する凹部が形成されたことを特徴とする保護キャップ。
【請求項６】
弾性素材によって一体成形され弾性変形によって前記摘みに被着及び脱着可能となったことを特徴とする請求項４又は５記載の保護キャップ。
【発明の詳細な説明】
【技術分野】
【０００１】
本発明は、回動規制を解除するためのボタンが摘みに設けられた防犯サムターン及びそれに用いる保護キャップに関する。
【背景技術】
【０００２】
マンションや住宅等に設けられる玄関扉には錠箱が設けられ、錠箱は扉木口から進退させたデッドボルトを扉枠に係合・係合解除させて、扉を施解錠する施解錠機構を内蔵している。錠箱は、屋外側からのシリンダー錠による施解錠操作力、或いは屋内側からのサムターンによる施解錠操作力の入力によって施解錠動作される。すなわち、屋外側からはシリンダー錠の合鍵による操作が必要になる一方、屋内側からは合鍵を用いずに摘みのみの回転操作で施解錠が簡便に行えるようになっている。
【０００３】
この種のサムターンは、下記特許文献１にも開示されるように、扉の屋内面側に垂直に突出した板状の摘みを有する。この摘みは、サムターン軸を介して錠箱の施解錠機構に連結される。したがって、屋内側からは、この摘みを指で摘んで正逆回転操作することで、回転操作力がサムターン軸を介して直接錠箱へ伝達され、施解錠機構によりデッドボルトが進退されて、簡便な施解錠操作が可能となる。
【０００４】
ところが、近年、ポスト口や、機械工具によって開けた小さな穴から棒や針金等を挿入し、回転操作の容易なサムターンに係止して回転させ、施錠装置を解錠する不正解錠が増えている。このようなサムターンに針金等を係止して回転させることを防止するものに例えば下記のボタン押下式防犯サムターンがある。
【０００５】
このボタン押下式防犯サムターンは、例えば、扁平な摘みの表裏に押下自在なボタンが突設され、これら一対のボタンが同時に押下されることで、摘みの回動規制が解除され、錠箱の施解錠機構に対する施解錠操作力の入力が可能となる。したがって、摘みを回すためには表裏のボタンを同時に押下しながら回転操作しなければならず、針金や棒等の不正治具を扉屋内側へ挿入することによる不正解錠、所謂サムターン回しを行い難くして、防犯性を向上させることができた。
【特許文献１】特公平２−１５７１５号公報  （第１図ｂ，第１図ｃ）
【発明の開示】
【発明が解決しようとする課題】
【０００６】
しかしながら、回動操作時にボタンの同時押下操作が要求されるボタン押下式防犯サムターンにおいても、なんらかの不正手段によって２つのボタンを同時に押下しながら、摘みを不正に回転操作する可能性は払拭できず、さらなる防犯性向上の要請がある。また、ボタン押下式防犯サムターンの場合、通常のサムターンに比べてボタンの同時押下操作が必要となるため、さらに同時の追加操作を付加することは、操作性の観点から好ましくない。
【０００７】
本発明は上記状況に鑑みてなされたもので、不正なボタン押下操作が簡便に防止できる防犯サムターン及びそれに用いる保護キャップを提供し、もって、ボタン押下式防犯サムターンにおけるさらなる防犯性の向上を図ることを目的とする。
【課題を解決するための手段】
【０００８】
次に、上記の課題を解決するための手段を、実施の形態に対応する図面を参照して説明する。
本発明の請求項１記載の防犯サムターンは、摘みの一部に押下自在なボタンが突設され該ボタンが押下されて前記摘みの回動規制が解除される防犯サムターンであって、
前記摘みを覆って外嵌される保護キャップが着脱自在に設けられ、
該保護キャップの摘み収容部には突出状態の前記ボタンに遊嵌する凹部が形成されたことを特徴とする。
【０００９】
この防犯サムターンでは、保護キャップが摘みに装着されると、ボタンが突出された状態のまま摘みが保護キャップによって覆われる。したがって、保護キャップが被された摘みは、ボタンが押下不能となって、回動規制を解除することができず回動不能状態となる。
【００１０】
本発明の請求項２記載の防犯サムターン１００は、扁平な摘み１５の表裏に押下自在なボタン１７，１９が突設され該一対のボタン１７，１９が同時に押下されて前記摘み１５の回動規制が解除される防犯サムターン１００であって、
前記摘み１５を覆って外嵌される保護キャップ１３が着脱自在に設けられ、
該保護キャップ１３の摘み収容部４５には突出状態の前記ボタン１７，１９に遊嵌する凹部４７，４９が形成されたことを特徴とする。
【００１１】
この防犯サムターン１００では、保護キャップ１３が摘み１５に装着されると、両ボタン１７，１９が突出された状態のまま摘み１５が保護キャップ１３によって覆われる。したがって、保護キャップ１３が被された摘み１５は、ボタン１７，１９が押下不能となって、回動規制を解除することができず回動不能状態となる。
【００１２】
請求項３記載の防犯サムターン１００は、前記ボタン１７，１９に前記凹部４７，４９が係合して前記保護キャップ１３の脱落が規制されることを特徴とする。
【００１３】
この防犯サムターン１００では、突出状態となったボタン１７，１９が保護キャップ１３の挿入によって一端押下され、保護キャップ１３が摘み１５の所定位置まで装着された時点で、ボタン１７，１９に凹部４７，４９が一致し、この凹部４７，４９に再びボタン１７，１９が突出することで、ボタン１７，１９が凹部４７，４９に進入し、保護キャップ１３の脱落が阻止される。また、保護キャップ１３の取り外し時には、保護キャップ１３が引き抜かれると、再びボタン１７，１９が摘み収容部４５の内面によって押下され、凹部４７，４９がボタン１７，１９から外れて、保護キャップ１３の取り外しが可能となる。
【００１４】
請求項４記載の保護キャップは、摘みの一部に押下自在に突設されたボタンが押下されて前記摘みの回動規制が解除される防犯サムターンに対して前記摘みに着脱自在に外嵌される保護キャップであって、
前記摘みの収容される摘み収容部に、突出状態の前記ボタンに遊嵌する凹部が形成されたことを特徴とする。
【００１５】
この保護キャップでは、摘みに装着することにより、ボタンを突出させた状態で摘みが覆われ、ボタンの押下が不能となる。これにより、摘みの回動規制が解除不能となり、摘みが常に回動不能状態に維持される。
【００１６】
請求項５記載の保護キャップ１３は、扁平な摘み１５の表裏に押下自在に突設された一対のボタン１７，１９が同時に押下されて前記摘み１５の回動規制が解除される防犯サムターン１００に対して前記摘み１５に着脱自在に外嵌される保護キャップ１３であって、
前記摘み収容部４５に、突出状態の前記ボタン１７，１９に遊嵌する凹部４７，４９が形成されたことを特徴とする。
【００１７】
この保護キャップ１３では、摘み１５に装着することにより、ボタン１７，１９を突出させた状態で摘み１５が覆われ、ボタン１７，１９の押下が不能となる。これにより、摘み１５の回動規制が解除不能となり、摘み１５が常に回動不能状態に維持される。
【００１８】
請求項６記載の保護キャップ１３は、弾性素材によって一体成形され弾性変形によって前記摘み１５に被着及び脱着可能となったことを特徴とする。
【００１９】
この保護キャップ１３では、装着時には摘み収容部４５の内周面の略全体が摘み１５の外面に密着して被着され、不正治具等によっては容易な脱着が行えなくなる。
【発明の効果】
【００２０】
本発明に係る請求項１記載の防犯サムターンによれば、摘みを覆って外嵌される保護キャップをこの摘みに着脱自在に設け、保護キャップの摘み収容部にはボタンを突出状態のまま遊嵌する凹部を形成したので、保護キャップを摘みに装着することで、ボタンを突出させた状態のまま摘みを覆うことができる。したがって、保護キャップが被された摘みは、ボタンが押下不能となって、回動規制を解除することができず回動不能状態となる。この結果、仮に不正治具が扉屋内側へ挿入されても、ボタンの押下が不能となり、ボタン押下式防犯サムターンの防犯性を簡便な手段によってさらに向上させることができる。
【００２１】
本発明に係る請求項２記載の防犯サムターンによれば、偏平な摘みを覆って外嵌される保護キャップをこの摘みに着脱自在に設け、保護キャップの摘み収容部には表裏一対のボタンを突出状態のまま遊嵌する凹部を形成したので、保護キャップを摘みに装着することで、両ボタンを突出させた状態のまま摘みを覆うことができる。したがって、保護キャップが被された摘みは、一対のボタンが押下不能となって、回動規制を解除することができず回動不能状態となる。この結果、仮に不正治具が扉屋内側へ挿入されても、各ボタンの押下が不能となり、ボタン押下式防犯サムターンの防犯性を簡便な手段によってさらに向上させることができる。
【００２２】
請求項３記載の防犯サムターンによれば、ボタンに凹部が係合することで保護キャップの脱落が規制されるので、摘みに対する保護キャップの着脱操作性を良好にすることができる。
【００２３】
請求項４記載の保護キャップによれば、押下自在に突設されたボタンを有する摘みに着脱自在に外嵌される保護キャップにおいて、摘み収容部に、突出状態のボタンに遊嵌する凹部を形成したので、摘みに装着することにより、ボタンを突出させた状態で摘みを覆うことができる。したがって、突出状態のボタンが覆われることで、ボタンの押下が不能となり、摘みの回動規制を解除不能として、摘みを常に回動不能状態に維持することができる。この結果、ボタン押下式防犯サムターンの防犯性をさらに向上させることができる。  
【００２４】
請求項５記載の保護キャップによれば、押下自在に突設された一対のボタンを有する偏平な摘みに着脱自在に外嵌される保護キャップにおいて、摘み収容部に、突出状態の一対のボタンに遊嵌する凹部を形成したので、摘みに装着することにより、両ボタンを突出させた状態で摘みを覆うことができる。したがって、突出状態の各ボタンが覆われることで、各ボタンの押下が不能となり、摘みの回動規制を解除不能として、摘みを常に回動不能状態に維持することができる。この結果、ボタン押下式防犯サムターンの防犯性をさらに向上させることができる。
【００２５】
請求項６記載の保護キャップによれば、弾性素材によって一体成形され弾性変形によって摘みに被着及び脱着可能としたので、装着時には摘み収容部の内周面の略全体が摘みの外面に密着して被着されることとなり、不正治具等による容易な脱着を防止して、ボタン押下式防犯サムターンの回動不能状態を確実に保持でき、防犯性をさらに向上させることができる。
【発明を実施するための最良の形態】
【００２６】
以下、本発明に係る防犯サムターン及びそれに用いる保護キャップの好適な実施の形態を図面を参照して詳細に説明する。
図１は本発明に係る防犯サムターンの分解斜視図である。
本実施の形態による防犯サムターン１００は、ボタン押下式防犯サムターン１１に、保護キャップ１３を着脱自在に備えてなる。ボタン押下式防犯サムターン１１は、扁平な摘み１５の表裏に押下自在なボタン１７，１９（図３参照）が突設され、後述するように、一対のボタン１７，１９が同時に押下されて摘み１５の回動規制が解除されるようになっている。
【００２７】
図２は図１に示したボタン押下式防犯サムターンの一部分を切り欠いた横断面図、図３は図１に示したボタン押下式防犯サムターンの一部分を切り欠いた縦断面図、図４は図３のボタン押下時の動作説明図である。
すなわち、ボタン押下式防犯サムターン１１は、図２に示すように、扉２１の屋内面２１ａに、固定筒２３が突出され、突出先端には飾り筒２５が嵌着されている。固定筒２３の突出外周には飾り筒２５を覆って化粧リング２７が外挿され、化粧リング２７は飾り筒２５との間に配設された付勢バネ２９によって屋内面２１ａに押圧されている。
【００２８】
固定筒２３の先端からは平面視半楕円形状の扁平な摘み１５が突出され、摘み１５は固定筒２３の内部で回動自在に収容された軸部３１と共に回動する。また、摘み１５の外周端面には回転姿勢の視認性を高めるための湾曲した標示帯３３が嵌着される。図３に示すように、摘み１５の表裏には付勢手段であるコイルバネ３５によって突出状態となるボタン１７，１９が押下自在に設けられている。ボタン１７，１９は、支持ピン３７を介して軸部３１に揺動自在に設けられ、コイルバネ３５の付勢力に抗して押下されることにより、図４に示すように、脚部３９，４１が開脚されるようになっている。
【００２９】
ボタン押下式防犯サムターン１１では、このボタン１７，１９が同時に押下され、脚部３９，４１が開脚されることにより、不図示のストッパー部材が軸部３１の外周から半径方向内側に後退され、固定筒２３との係合が解除されて、軸部３１と共に摘み１５が回動自在となる。摘み１５の回転は、軸部３１を介してコア軸４３に伝達され、コア軸４３は不図示の錠箱に回転操作力を入力して、錠箱内の施解錠機構を作動させ、不図示のデッドボルトを進退させて扉２１の施解錠を可能としている。
【００３０】
したがって、通常時では、ボタン１７，１９がコイルバネ３５によって突出状態となり、軸部３１から突出したストッパー部材が固定筒２３に係合することで、摘み１５は回動が阻止された状態となる。このため、扉屋内側に挿入された針金や棒等による摘み１５の不正な回転操作が行い難くなり、防犯性が高められるようになっている。
【００３１】
このボタン押下式防犯サムターン１１の摘み１５には、摘み１５と略同形状の保護キャップ１３が嵌着される。保護キャップ１３の摘み収容部４５には突出状態のボタン１７，１９に遊嵌する凹部４７，４９が形成される。また、摘み収容部４５の開口部内周には軸部３１の表出部３１ａ（図１参照）を収容する段部５１が形成される。
【００３２】
保護キャップ１３は、摘み収容部４５が摘み１５の外形状と略同一に形成されている。防犯サムターン１００は、ボタン１７，１９に凹部４７，４９が係合して、保護キャップ１３の脱落が規制されるように構成することができる。すなわち、突出状態となったボタン１７，１９が保護キャップ１３の挿入によって一端押下され、保護キャップ１３が摘み１５の所定位置まで装着された時点で、ボタン１７，１９に凹部４７，４９が一致すると、この凹部４７，４９に再びボタン１７，１９がコイルバネ３５の付勢力によって突出することで、ボタン１７，１９が凹部４７，４９に進入し、保護キャップ１３の脱落が阻止されるようにする。
【００３３】
一方、保護キャップ１３の脱着時には、保護キャップ１３が引き抜かれると、再びボタン１７，１９が摘み収容部４５の内面によって押下され、凹部４７，４９がボタン１７，１９から外れて、保護キャップ１３の脱着が可能となる。
【００３４】
このような構成によれば、ボタン１７，１９に凹部４７，４９が係合することで保護キャップ１３の脱落が規制されるので、摘み１５に対する保護キャップ１３の着脱操作性を良好にすることができる。このような構成の場合、保護キャップ１３の素材としては合成樹脂が好適に用いられる。
【００３５】
また、保護キャップ１３は、弾性素材によって一体成形され弾性変形によって摘み１５に被着及び脱着可能となった構成としても良い。このような構成によれば、装着時には摘み収容部４５の内周面の略全体が摘み１５の外面に密着して被着されることとなり、不正治具等による容易な脱着を防止して、ボタン押下式防犯サムターン１１の回動不能状態を確実に保持でき、防犯性をさらに向上させることができる。このような構成の場合、保護キャップ１３の素材としては、ＳＢＳ系エラストマーやＳＥＢＳ系エラストマーのスチレン系熱可塑性エラストマー、或いはオレフィン系熱可塑性エラストマー等が好適に用いられる。
【００３６】
図５は保護キャップ装着前を（ａ）、保護キャップ装着後を（ｂ）に表した動作説明図である。
この防犯サムターン１００では、図５（ａ）に示すボタン１７，１９の突出した摘み１５に、保護キャップ１３が装着されると、図５（ｂ）に示すように、ボタン１７，１９が突出された状態のまま摘み１５が保護キャップ１３によって覆われる。したがって、保護キャップ１３が被された摘み１５は、ボタン１７，１９が押下不能となる。これにより、摘み１５の回動規制が解除不能となり、摘み１５が回動不能状態に維持される。
【００３７】
したがって、上記の防犯サムターン１００及びそれに用いる保護キャップ１３によれば、摘み１５を覆って外嵌される保護キャップ１３をこの摘み１５に着脱自在に設け、保護キャップ１３の摘み収容部４５にはボタン１７，１９を突出状態のまま遊嵌する凹部４７，４９を形成したので、保護キャップ１３を摘み１５に装着することで、ボタン１７，１９を突出させた状態のまま摘み１５を覆うことができる。保護キャップ１３が被された摘み１５は、ボタン１７，１９が押下不能となって、回動規制を解除することができず常に回動不能状態となる。この結果、仮に不正治具が扉屋内側へ挿入されても、ボタン１７，１９の押下が不能となり、ボタン押下式防犯サムターン１１の防犯性を簡便な手段によってさらに向上させることができる。
【００３８】
なお、上述した実施の形態では、ボタン押下式サムターンの構成として、摘み１５の形状を偏平な形状とし、表裏にそれぞれボタン１７，１９が設けられて、この一対のボタン１７，１９を保護キャップ１３にて押下不能とする構成とした例について述べたが、ボタン押下式サムターンの構造としては、その外側面の一部に押下自在なボタンが突設されるものであれば、どのような構造でもよく、例えば、円筒形状のサムターンの側面に１つのボタンが突設されるような構成としてもよく、この場合には、保護キャップの摘み収容部には１つの凹部が形成される構成となる。また、その他に、ボタンが複数突設される場合でも同様であり、保護キャップを被せることによってボタンの押下を不能として回転規制の解除を不可能とさせ、回動不能状態とさせる効果は同様に得ることができる。
【図面の簡単な説明】
【００３９】
【図１】本発明に係る防犯サムターンの分解斜視図である。
【図２】図１に示したボタン押下式防犯サムターンの一部分を切り欠いた横断面図である。
【図３】図１に示したボタン押下式防犯サムターンの一部分を切り欠いた縦断面図である。
【図４】図３のボタン押下時の動作説明図である。
【図５】保護キャップ装着前を（ａ）、保護キャップ装着後を（ｂ）に表した動作説明図である。
【符号の説明】
【００４０】
１３…保護キャップ
１５…摘み
１７，１９…ボタン
４５…摘み収容部
４７，４９…凹部
１００…防犯サムターン
【図１】
2006125093.tif 000003
【図２】
2006125093.tif 000004
【図３】
2006125093.tif 000005
【図４】
2006125093.tif 000006
【図５】
2006125093.tif 000007